(57)【特許請求の範囲】
【請求項１】
利用するサービスの指定をユーザから受け付ける指定受付手段と、
前記指定受付手段で受け付けたサービスのうちに、ネットワークを介して接続される外部サービスであって個人認証が必要な外部サービスを含むとき、複数の決済方式のうちクレジットカード決済の優先順を他の決済方式より高く提示し、当該サービスについての決済方式の選択をユーザから受け付ける選択受付手段と、
を含む情報処理装置。
【請求項２】
前記選択受付手段は、前記指定受付手段で受け付けたサービスが、前記ユーザが決済用のクレジットカードを登録済みの外部サービスを利用するものである場合に、決済方式としてその登録済みのクレジットカードの順位を登録済みではないクレジットカード決済の順位よりも高くした優先順に従って前記複数の決済方式を提示する、
ことを特徴とする請求項１に記載の情報処理装置。
【請求項３】
前記選択受付手段は、前記指定受付手段で受け付けた処理機能が、事業主体が異なる複数のサービスを用いるものである場合に、クレジットカード決済のみの決済方式を提示する、
ことを特徴とする請求項１に記載の情報処理装置。
【請求項４】
前記選択受付手段は、前記複数の決済方式のうち対応する課金装置が使用中であるものを前記サービスに応じた優先順よりも順位を下げた補正後の優先順に従って、前記複数の決済方式を提示する、
ことを特徴とする請求項１に記載の情報処理装置。
【請求項５】
コンピュータを、
利用するサービスの指定をユーザから受け付ける指定受付手段、
前記指定受付手段で受け付けたサービスのうちに、ネットワークを介して接続される外部サービスであって個人認証が必要な外部サービスを含むとき、複数の決済方式のうちクレジットカード決済の優先順を他の決済方式より高く提示し、当該サービスについての決済方式の選択をユーザから受け付ける選択受付手段、
として機能させるためのプログラム。
【発明の詳細な説明】
【技術分野】
【０００１】
本発明は、情報処理装置及びプログラムに関する。
【背景技術】
【０００２】
コンビニエンスストア等に設置された画像処理装置（例えば複合機）には、一般に、硬貨を投入するコインキットが接続されている。ユーザがコインキットにいくらかの金額を投入すると、ユーザが指示した複写等の処理を画像処理装置が実行する。
【０００３】
特許文献１に開示された画像処理装置は、コインキット、電子マネーリーダ、デビットカードリーダ等の、課金の形態が異なる複数種類の課金装置を有する。この画像処理装置には、複数種類の課金装置の優先順位を設定することができる。まず優先順位が最高位の課金装置に投入された金額から利用金額を引き落としていき、利用金額総額を引き落としきれない場合は、残額を次位の課金装置に投入された金額から引き落とす。
【０００４】
また近年、画像処理装置が提供するスキャン機能や印刷機能等のサービスを、インターネット等に設けられた外部サービスと連携させることで、より高度なサービスをユーザに提供することも行われている。例えば、画像処理装置がスキャンした文書の画像をインターネット上のＯＣＲ（光学的文字認識）サーバでテキストデータに変換し、そのテキストデータを翻訳サーバで別の言語に翻訳し、翻訳結果のテキストデータを画像処理装置に戻して印刷するというサービスを提供することが可能になっている。
【先行技術文献】
【特許文献】
【０００５】
【特許文献１】特開２００６−０７２４５１号公報
【発明の概要】
【発明が解決しようとする課題】
【０００６】
画像処理装置とインターネット等に設けられた外部サービスとを連携させて利用する場合に、ユーザは利用する外部サービス毎に決済を行うことが考えられ、ユーザにとって処理が煩雑になることが考えられる。
【０００７】
また、画像処理装置とインターネット等に設けられた外部サービスとを連携させて利用する場合に、利用者が画像処理装置において決済すると、画像処理装置のサービス提供事業者は、徴収した料金から外部サービス提供事業者に利用した対価の支払い処理をしなければならないので、料金徴収者の支払い処理が煩雑になることが考えられる。
【０００８】
本発明は、画像処理装置とインターネット等に設けられた外部サービスとを連携させる画像処理装置のサービスの提供事業者の支払い処理の煩雑さを低減することを目的とする。
【課題を解決するための手段】
【０００９】
請求項１に係る発明は、利用するサービスの指定をユーザから受け付ける指定受付手段と、前記指定受付手段で受け付けたサービスのうちに、ネットワークを介して接続される外部サービスであって個人認証が必要な外部サービスを含むとき、複数の決済方式のうちクレジットカード決済の優先順を他の決済方式より高く提示し、当該サービスについての決済方式の選択をユーザから受け付ける選択受付手段と、を含む情報処理装置である。
【００１０】
請求項２に係る発明は、前記選択受付手段は、前記指定受付手段で受け付けたサービスが、前記ユーザが決済用のクレジットカードを登録済みの外部サービスを利用するものである場合に、決済方式としてその登録済みのクレジットカードの順位を登録済みではないクレジットカード決済の順位よりも高くした優先順に従って前記複数の決済方式を提示する、ことを特徴とする請求項１に記載の情報処理装置である。
【００１１】
請求項３に係る発明は、前記選択受付手段は、前記指定受付手段で受け付けた処理機能が、事業主体が異なる複数のサービスを用いるものである場合に、クレジットカード決済のみの決済方式を提示する、ことを特徴とする請求項１に記載の情報処理装置である。
【００１２】
請求項４に係る発明は、前記選択受付手段は、前記複数の決済方式のうち対応する課金装置が使用中であるものを前記サービスに応じた優先順よりも順位を下げた補正後の優先順に従って、前記複数の決済方式を提示する、ことを特徴とする請求項１に記載の情報処理装置である。
【００１３】
請求項５に係る発明は、コンピュータを、利用するサービスの指定をユーザから受け付ける指定受付手段、前記指定受付手段で受け付けたサービスのうちに、ネットワークを介して接続される外部サービスであって個人認証が必要な外部サービスを含むとき、複数の決済方式のうちクレジットカード決済の優先順を他の決済方式より高く提示し、当該サービスについての決済方式の選択をユーザから受け付ける選択受付手段、として機能させるためのプログラムである。
【発明の効果】
【００１４】
請求項１又は５に係る発明によれば、情報処理装置において外部サービスを含んだサービスを提供する際に、情報処理装置のサービス提供者の支払い処理の煩雑さを低減できる。
【００１５】
請求項２に係る発明によれば、情報処理装置にて外部サービスを利用するサービスを実行する場合に、外部サービスに対して登録済のクレジットカードで決済しやすくすることができる。
【００１６】
請求項３に係る発明によれば、事業主体の異なる複数のサービスからなるサービスについて、情報処理装置の運営者にとって現金決済による支払い処理の煩雑さ低減することができる。
【００１７】
請求項４に係る発明によれば、すぐには使用できない課金装置に対応する決済方式が選ばれにくくすることができる。
【図面の簡単な説明】
【００１８】
【図１】実施形態のシステム構成の一例を示す図である。
【図２】画像処理装置の内部構成の一例を示す図である。
【図３】サービス情報管理部が管理するサービス情報の例を示す図である。
【図４】実施形態の処理手順を示すフローチャートである。
【図５】決済方式選択受付部が提示する決済方式選択用の画面の例を示す図である。
【図６】決済方式選択用の画面の別の例を示す図である。
【図７】サービス情報管理部が管理する連携サービスについてのサービス情報の例を示す図である。
【図８】変形例の処理手順を示すフローチャートである。
【図９】別の変形例の処理手順を示すフローチャートである。
【発明を実施するための形態】
【００１９】
図１を参照して、本実施形態のシステム構成の例を説明する。
【００２０】
図１に示すシステムは、画像処理装置１０、携帯端末２０、課金装置３０、外部サービス６０を含む。
【００２１】
情報処理装置としての画像処理装置１０は、例えば、プリンタ、スキャナ、コピー機、ファクシミリ装置、またはこれらのうちの１以上を兼ね備える複合機である。ただしこれは一例に過ぎず、印刷のみ、スキャンのみ、ファクシミリのみ、といった単機能の画像処理装置や、プリンタ、スキャナ、ファクシミリ等のうちの２以上の機能を備える装置や、パーソナルコンピュータやモバイル端末のユーザが各種サービスを利用することを可能とする装置等、にも本実施形態の手法は適用可能である。画像処理装置１０は、WiFi（登録商標）やWiFi Direct（登録商標）、Bluetooth（登録商標）等の無線通信プロトコルに対応しており、無線通信プロトコルを用いて携帯端末２０と通信可能となっている。画像処理装置１０は、例えばコンビニエンスストアや図書館、役所等に設置され、ユーザに対して利用のための料金を要求する。また、画像処理装置１０はインターネット５０に接続されており、インターネット５０上の外部サービス６０と通信可能である。
【００２２】
画像処理装置１０には、自分が有するサービス機能（例えばスキャン、プリント、ファクシミリ送信、電子メール送信等。内部サービスと呼ぶ）、及び外部サービス６０が提供するサービス機能のうちのいくつかを組み合わせた連携サービスが登録されている。画像処理装置１０は、携帯端末２０又は自分の持つ操作部から、内部サービスや連携サービスの実行指示を受け付ける。連携サービスの実行指示を受けた場合、画像処理装置１０は、その連携サービスの定義情報に従い、その連携サービスを構成する個々のサービス機能が順に実行されるように制御する。例えば「スキャン翻訳」という連携サービスは、紙原稿をスキャンする内部サービス、スキャン結果の画像に対してＯＣＲ処理を行う外部サービス６０、（ＯＣＲ結果の）テキストデータを翻訳する別の外部サービス６０、及び（翻訳結果の）テキストデータを印刷する内部サービス、をこの順に実行することで実現される。「スキャン翻訳」の実行を指示された場合、画像処理装置１０は、紙原稿をスキャン（内部サービスの１つ）し、スキャン結果の画像データを、「スキャン翻訳」を構成する個々の処理の実行指示とその処理結果の転送先（例えばＯＣＲ結果の転送先は翻訳サービス）を示した制御情報と共に、外部サービス６０の１つであるＯＣＲサービスに送る。その後、ＯＣＲサービスや翻訳サービス及び画像処理装置１０が、その制御情報に従って各自の担当する処理を実行することで、「スキャン翻訳」サービスが実現される。
【００２３】
また、画像処理装置１０は、ユーザの指示に応じて実行したサービスについての料金を、課金装置３０を用いて決済する機能を有する。画像処理装置１０には、ユーザが利用可能な決済方式が複数登録されている。画像処理装置１０は、それら複数の決済方式を選択肢としてユーザに提示し、ユーザが選択した決済方式に対応する課金装置３０を用いて利用料金を決済する。ここで、複数の決済方式には優先順が規定されており、画像処理装置１０は、空間的（画面上での並び順）又は時間的（画面上での時間的な提示順序）にその優先順に従って、それら決済方式を選択肢として提示する。特に本実施形態では、決済方式の優先順を、ユーザが実行を指示したサービスを考慮に入れて制御する。この優先順の制御については後で詳しく説明する。
【００２４】
携帯端末２０は、スマートフォン、タブレット端末、ノートＰＣ（パーソナルコンピュータ）等がその一例である。ユーザは、携帯端末２０の無線通信機能により画像処理装置１０に通信接続を行い、携帯端末２０から画像処理装置１０に対してジョブの実行指示を送ったり、そのジョブの料金の決済方式の選択等を行ったりする。
【００２５】
課金装置３０は、画像処理装置１０の利用のための料金をユーザから収受する装置である。課金装置３０には、例えば硬貨等の貨幣の投入を受け付けるコインキット、電子マネーリーダ、デビットカード、クレジットカードリーダ等、決済方式（料金を収受する方式）の異なる複数の種類のものがある。本実施形態では、画像処理装置１０に対して複数の課金装置３０が接続されている。それら複数の課金装置３０の中には同じ決済方式のものがあってもよいが、基本的にそれぞれ決済方式が異なっているものとする。各課金装置３０は、通信ケーブルによる直接接続や、有線又は無線のローカルエリアネットワーク等のローカルネットワーク４０等を介した接続により、画像処理装置１０と通信する。
【００２６】
外部サービス６０は、インターネット５０上に存在する情報処理システムであり、それぞれ個別の情報処理サービスを提供する。外部サービス６０の中には、例えば、ＯＣＲ処理サービス、翻訳サービス、地図画像を提供するサービス、住民票等の証明書を発行するサービス等、様々なものがある。外部サービス６０の中には、単体のコンピュータ（サーバ）で構成されるものもあれば、互いに連携して処理を行う複数のコンピュータから構成されたクラウドサービスのようなものもある。
【００２７】
次に、図２を参照して、画像処理装置１０の内部構成について更に詳しく説明する。
【００２８】
画像処理装置１０は、通信部１０２、操作部１０４、ジョブ制御部１０６、課金装置制御部１０８、決済方式選択受付部１１０、サービス情報管理部１１２、及び決済処理部１１４を有する。
【００２９】
通信部１０２は、携帯端末２０、課金装置３０、外部サービス６０等とのデータ通信を行う。操作部１０４は、画像処理装置１０に対するユーザからの操作指示を受け付けるＵＩ（ユーザインタフェース）装置である。操作部１０４は、タッチパネルやテンキー、スタートボタン等の入出力装置を有しており、例えば、タッチパネルに表示した各種操作のための画面に対するユーザからの入力を受け付ける。ジョブ制御部１０６は、操作部１０４や携帯端末２０を介してユーザから指示されたサービスのための処理（ジョブ）の実行を制御する。例えば、携帯端末２０から文書データを含む印刷指示を受け取った場合、ジョブ制御部１０６は、画像処理装置１０が有する印刷機構（図示省略）を制御して、その文書データを用紙に印刷させる。また例えば連携サービスの実行を指示された場合、ジョブ制御部１０６は、連携サービスを規定する制御情報を作成し、その制御情報を外部サービス６０に送る。
【００３０】
課金装置制御部１０８は、課金装置３０を制御して、画像処理装置１０が実行したジョブについての課金（すなわち料金の受領）処理を実行する。このために、課金装置制御部１０８は、まず画像処理装置１００が起動された際、そのときに画像処理装置１０に接続されている課金装置３０を検知し、検知した各課金装置３０が対応している決済方式を認識する。そして、ユーザが選択した決済方式（この選択については後述）に対応する課金装置３０を制御して、ユーザからサービスの料金の支払いを受け付ける。
【００３１】
なお、携帯端末２０を課金装置３０として利用できる場合もある。例えば携帯端末２０がＮＦＣ（Near Field Communication）等を用いて電子マネーの読み書きができる場合である。この場合、課金装置制御部１０８の制御のもと、携帯端末２０が電子マネー等に対して課金処理を行う。課金装置制御部１０８は、携帯端末２０が画像処理装置１０と通信接続した際に、携帯端末２０が持つ課金処理機能（アプリ）を確認する。そして、携帯端末２０が課金処理機能を持っている場合は、その課金処理機能を課金装置３０の１つとして認識し、その課金処理機能による決済を決済方式の選択肢の１つとしてユーザに提示する。
【００３２】
決済方式選択受付部１１０は、ユーザが実行を指示したサービス（ジョブ）についての料金の決済方式の選択をユーザから受け付ける。決済方式選択受付部１１０は、画像処理装置１０に接続されている各課金装置３０が対応している決済方式に優先順を付け、その優先順に従った態様でそれら決済方式を選択肢としてユーザに提示し、ユーザの選択を受け付ける。選択肢の提示における「優先順に従った態様」とは、例えば優先順位が高い選択肢（決済方式）ほどユーザに選ばれやすい態様のことである。例えば多数の選択肢を一列に並べてスクロール表示するＵＩ画面を用いる場合、優先順位が高い選択肢ほどその画面の先頭に近い位置に配置される。このように選択肢のＵＩ画面上での空間的な位置（並び順）を優先順にしたがったものとする他、選択肢を時間的に順に提示していく場合に、優先順位の高いものから順に表示するなどの態様もあり得る。
【００３３】
画像処理装置１０には、複数の決済方式についての既定の優先順が登録されている。決済方式選択受付部１１０は、ユーザが実行を指示したサービスに応じて、決済方式の優先順を既定のものから変更する場合もある。この変更のために、決済方式選択受付部１１０は、外部サービス６０から情報を取得したり、サービス情報管理部１１２を参照したりする。
【００３４】
サービス情報管理部１１２は、画像処理装置１０がユーザに提供可能な各サービスについて、決済方式の優先順の決定のための判定材料となる情報を保持する。図３に、サービス情報管理部１１２が持つ情報の例を示す。この例では、サービス情報管理部１１２は、サービスごとに、サービス名（別の観点ではジョブの種類）、外部サービスのＵＲＬ、個人認証の要否の情報を保持している。ここで、「クラウドストレージ」は、画像処理装置１０でスキャンした画像を、外部サービス６０の１つである「クラウドストレージ」サービスに、当該ユーザのアカウントに対応付けて登録するサービスである。「地図印刷」は、外部サービス６０の１つである地図情報提供サービスから地図のデータをダウンロードして画像処理装置１０で印刷するサービスである。「証明書印刷」サービスは、画像処理装置１０が例えば外部サービス６０の１つである役所の証明書発行システムから住民票等の証明書のデータを取得して印刷するサービスである。これら例示したサービスはいずれも外部サービス６０を利用している。「外部サービスのＵＲＬ」は、当該サービスで用いられる外部サービス６０のＵＲＬ（Uniform Resource Locator）である。外部サービス６０の中には、利用しようとするユーザに個人認証を課すものがある。図示例では、「クラウドストレージ」と「証明書印刷」については、そのサービスに利用する外部サービス６０が個人認証を課している。１つの例では、画像処理装置１０が実行するジョブにおいて利用する外部サービス６０が個人認証を課しているか否かに応じて、決済方式の優先順を変える。
【００３５】
決済処理部１１４は、決済方式選択受付部１１０がユーザから受け付けた選択結果の示す決済方式で決済処理を実行する。すなわち、その決済方式に対応する課金装置３０に、課金装置制御部１０８を介して課金処理を実行させ、その課金処理の結果に応じて、サービスの利用料金を決済する。例えば、決済方式（課金装置３０）としてコインキットが選択された場合、決済処理部１１４は、ユーザが投入した貨幣の金額の情報をコインキットから取得し、その金額からサービスの利用料金を引き落とす。また、クレジットカードリーダによるクレジットカード決済が選択された場合、決済処理部１１４は、課金装置３０の１つであるクレジットカードリーダが読み取ったクレジットカード番号と、サービスの利用料金と、その料金の支払先（例えば画像処理装置１０の運営事業者や外部サービス６０の運営事業者）との情報をクレジットカード会社に送り、決済を行う。
【００３６】
図４を参照して、決済方式選択受付部１１０の処理手順の一例を説明する。
【００３７】
まず決済方式選択受付部１１０は、画像処理装置１０が起動した後、例えば定期的に、画像処理装置１０に接続中の課金装置３０を課金装置制御部１０８に検知させる。そして、課金装置制御部１０８が接続を検知した各課金装置３０の決済方式を、登録されている既定の優先順に従って並べることで、選択可能な決済方式についての既定優先順情報を作成する（Ｓ１００）。例えば、画像処理装置１０に登録された既定の優先順が「１位：コインキット、２位：電子マネー、３位：クレジットカード」である場合において、課金装置制御部１０８がコインキットとクレジットカードリーダを検知した場合、既定優先順情報は「１位：コインキット、２位：クレジットカード」となる。
【００３８】
決済方式選択受付部１１０は、携帯端末２０又は操作部１０４を介してユーザからサービスの実行指示が入力されるのを待つ（Ｓ１０２）。ユーザは、画像処理装置１０が操作部１０４や携帯端末２０に提供するメニュー画面から、所望のサービスを選択し、実行を指示する。決済方式選択受付部１１０は、サービス実行指示が入力されたのを検知すると（Ｓ１０２がＹｅｓ）、指示されたサービスの情報をサービス情報管理部１１２（図３参照）から取得する（Ｓ１０４）。そして、取得した情報に基づいて、そのサービスに個人認証が必要か否かを判定する（Ｓ１０６）。
【００３９】
個人認証が不要なサービスの場合、決済方式選択受付部１１０は、ユーザに提示する決済方式の優先順として、Ｓ１００で決定した既定優先順を採用し（Ｓ１０８）、Ｓ１１８に進む。
【００４０】
個人認証が必要なサービスの場合、Ｓ１００で決定した既定優先順に対して、クレジットカード決済の順位を最高位に上げるという調整を加える（Ｓ１１０）。これは、個人認証が必要なサービスを用いる場合、クレジットカードで決済した方が、何のためにいくら支払ったかという決済履歴の管理がそのユーザにとって容易なので、ユーザの利便性が高いためである（逆にコインキット等の現金決済では支払い履歴が残らないので自分で記録する必要がある）。
【００４１】
またこのとき、操作部１０４又は携帯端末２０は、そのサービスのための外部サービス６０のＵＲＬにアクセスし、これに応じて外部サービス６０から提供されるサービスを利用するために認証情報入力画面を表示する。ユーザは、その画面に対してユーザＩＤ、パスワードを入力するなどの方法で認証を受ける。認証が成功した場合、決済方式選択受付部１１０は、その外部サービス６０に対して、そのユーザの決済手段として登録済みのクレジットカードがあるかどうかを問い合わせる（Ｓ１１２）。これに対する外部サービス６０からの応答を判定し（Ｓ１１４）、応答が「登録済クレジットカードがある」ことを示す場合は、Ｓ１１０で調整済の優先順の最高位（この時点では「クレジットカード」）よりも更に上位の決済方式として、その登録済クレジットカードを追加する（Ｓ１１６）。ユーザが指示したサービスにて利用する外部サービス６０にクレジットカードが登録済である場合、そのクレジットカードを用いて決済する方が、外部サービス６０での決済方式が統一され、ユーザの決済履歴の管理が容易になる。また、登録済クレジットカードで決済を行えば、ユーザは、外部サービス６０に対して別のクレジットカードの情報を提示しなくて済み、個人情報の管理の点でも有益である。Ｓ１１６での優先順の調整の後、処理はＳ１１８に進む。Ｓ１１４で登録済クレジットカードが無いことが分かった場合は、Ｓ１１６をスキップしてＳ１１８に進む。
【００４２】
Ｓ１１８では、決済方式選択受付部１１０は、課金装置制御部１０８から、接続中の各課金装置３０の使用状態（誰かが使用しているか否か）の情報を取得し、その情報に基づき現在他の利用者により使用されている課金装置３０を特定する。そして、Ｓ１２０では、現在の優先順に対して、現在使用中の課金装置３０の順位を最下位に下げる補正を行う。なお、優先順の情報中の、使用中の課金装置３０には、使用中の旨を示す情報が付加される。Ｓ１１８で、接続中の課金装置３０に使用中のものがなければ、Ｓ１２０はスキップされる。コインキットやクレジットカードリーダ等の課金装置３０は、画像処理装置毎に対応して提供されている場合は、Ｓ１１８からＳ１２０の処理は不要であるが、一つの課金装置３０を複数の画像処理装置で共有している場合に、Ｓ１１８からＳ１２０の処理を行うことによりサービスの利用者と課金の決済処理を行う利用者が一致する。
【００４３】
決済方式選択受付部１１０は、上述のＳ１００〜Ｓ１２０の処理により求められた優先順の情報に従い、決済方式の選択を受け付けるためのＵＩ画面を生成し、そのＵＩ画面を操作部１０４（Ｓ１０２のユーザからの指示が操作部１０４になされた場合）又は携帯端末２０（その指示が携帯端末２０からなされた場合）に表示させる（Ｓ１２１）。そして、ユーザの選択を待つ（Ｓ１２２）。ユーザが決済方式を選択すると、決済方式選択受付部１１０は、選択された決済方式を決済処理部１１４に通知する。決済処理部１１４は、通知された決済方式に対応する課金装置３０を、課金装置制御部１０８を介して制御することで、課金の決済を実施する（Ｓ１２４）。このとき、課金装置制御部１０８は、選択された決済方式に対応する課金装置３０の状態を「使用中」へと変更し、その課金装置３０に対してユーザが支払い処理（コインの投入、クレジットカードの挿入及び提示された金額をクレジット決済する旨の確認、など）を行うのを待つ。支払いが行われると、課金装置３０は支払いの情報（例えば投入された金額、あるいはクレジットカード番号等）を課金装置制御部１０８に送る。課金装置制御部１０８は、受け取った支払いの情報を決済処理部１１４に渡す。決済処理部１１４は、受け取った支払い情報に従って決済を行う。そして、この課金（決済）の後、ジョブ制御部１０６は、Ｓ１０２で指示されたサービスのための処理（ジョブ）を実行する（Ｓ１２６）。以上の流れにより、ユーザが実行を指示したサービスを、画像処理装置１０が実行することとなる。なお、図４の流れは、料金を前払いした後、ジョブが実行されたが、本実施形態の制御は、ジョブの実行後に料金を支払う後払い方式の決済を行う画像処理装置１０にも適用可能である（この点は、後述する各変形例も同様）。
【００４４】
なお、Ｓ１２２でユーザが決済方式の選択の取りやめを明示的に指示した場合や、ユーザが選択操作をしないままタイムアウトした場合、Ｓ１２２の判定結果が否定（Ｎ）となる。この場合、決済方式選択受付部１１０は、料金が投入されないので指示されたサービスが実行できない旨のメッセージを、操作部１０４又は携帯端末２０に表示させ（Ｓ１２８）、処理を終了する。
【００４５】
図４の処理の具体例を説明する。例えば、Ｓ１００で決定した既定優先順が「１位：コインキット、２位：電子マネー、３位：クレジットカード」である場合を考える。この場合において、ユーザが指示したサービスがＳ１０６で個人認証を要すると判定された場合、まずＳ１１０でその既定優先順に対してクレジットカードの順位を最高位に上げる調整が行われ、調整後の優先順は「１位：クレジットカード、２位：コインキット、３位：電子マネー」となる。さらにそのサービスで用いる外部サービス６０に対してそのユーザが決済手段として用いるクレジットカードを登録している場合は、現在の優先順に対してＳ１１６で登録済クレジットカードを最高位に付け加える調整が行われる。この調整の後の優先順は「１位：登録済クレジットカード、２位：クレジットカード、３位：コインキット、４位：電子マネー」となる。そして、Ｓ１１８で現在コインキットが使用中である（他の課金装置３０は使用されていない）と分かった場合、現在の優先順に対してＳ１２０でコインキットを最下位に移す補正が加えられる。その結果、最終的にユーザに提示する優先順は「１位：登録済クレジットカード、２位：クレジットカード、３位：電子マネー、４位：コインキット（使用中）」となる。
【００４６】
この最終的な優先順に従って提示される、決済方式選択用のＵＩ画面の例を図５に示す。図５の例では、決済方式選択用のＵＩ画面５００は、タブ形式のＧＵＩ（グラフィカルユーザインタフェース）画面であり、タブ５０２をタッチ操作等で選択すると、そのタブ５０２につながるページ５０４がアクティブ状態となって画面に表示される。図５の例では、最終的に求めた優先順「１位：登録済クレジットカード、２位：クレジットカード、３位：電子マネー、４位：コインキット（使用中）」に従って、画面５００の左から右に、それぞれの決済方式のタブ５０２−１、５０２−２、５０２−３、５０２−４が順に並んでいる。このＵＩ画面５００が開いたときには、優先順が第１位の「登録済みクレジットカード」のタブ５０２−１及び５０４−１がアクティブ状態となって画面５００に表示される。このページ５０４−１には、クレジットカードリーダに対して、外部サービス６０の１つであるクラウドストレージサービスに対して登録したクレジットカードを挿入するよう案内するメッセージが表示されている。なお、挿入すべき登録済みのクレジットカードがどれなのかをユーザに特定しやすくするために、そのクレジットカードの番号の一部をそのページ５０４−１に表示してもよい。この場合、登録済みクレジットカード番号は、クラウドストレージサービスから取得すればよい。ユーザは、この第１位の決済方式を選択する場合には、そのページ５０４−１の表示に従い、クラウドストレージサービスに登録済みのクレジットカードを、課金装置３０の１つであるクレジットカードリーダに挿入する。これにより、そのジョブのための料金がクレジットカードで支払われる。支払われる料金には、画像処理装置１０の処理についての料金と、クラウドストレージサービスの処理についての料金が含まれており、決済処理部１１４は、それら各々の料金について決済を行う。
【００４７】
また別の決済方式を使いたい場合、ユーザは、残りの３つのタブ５０２−２〜５０２−４の中から、希望する決済方式のタブ５０２を選択し、その選択により画面表示されるその希望する決済方式のページ５０４の表示に従い、支払いのための操作を行う。ここで、この例では、最下位（第４位）の決済方式（課金装置３０）であるコインキットのタブ５０４−４には、コインキットが「使用中」であることが明示されている。これにより、ユーザは、コインキットを用いて支払いを行うには、現在使用中の人が支払いを終えるまで待つ必要があることが認識でき、この点を考慮した上で、どの決済方式を用いるかを選択する。
【００４８】
図５の例では、ページ５０４−１は、登録済みのクレジットカードの挿入を求めるメッセージを表示しているが、これは一例である。この代わりに、ページ５０４−１として、その登録済みのクレジットカードで決済を行うことを確認する確認ボタンを表示したものを用いてもよい。ユーザは、そのクレジットカードで決済を行う場合、その確認ボタンを押下すればよい。そのクレジットカードの番号は、クラウドストレージサービスから画像処理装置１０に通知し、その番号で決済をすればよい。
【００４９】
また別の具体例として、Ｓ１００で決定された既定優先順が「１位：コインキット、２位：電子マネー、３位：クレジットカード」であり、ユーザが指示したサービスに個人認証が不要であり（Ｓ１０６がＮ）、使用中の課金装置３０がない場合の決済方式選択用のＵＩ画面の例を図６に示す。このＵＩ画面５２０は、その既定優先順に従って左から右に各決済方式のタブ５２２−１〜３が並んでいる。最初に開く画面では、最上位のコインキットでの決済を説明するページ５０４−１を表示している。このページ５０４−１には、コインキットに投入すべき料金の額（図示例では「３０円」）と、既に投入済みの金額（図示例では「投入金額  ０円」）が表示される。この表示の後コインキットに硬貨が投入されるごとに、その硬貨の額だけ画面上の投入金額の値が増えていく。
【００５０】
次に、変形例について説明する。この変形例では、ユーザが実行を指示したサービスが、上述の連携サービスであるか否かに従って、ユーザに提示する決済方式の優先順を制御する。
【００５１】
この変形例のシステム構成は、図１及び図２に示したものと同様でよい。
【００５２】
この変形例では、サービス情報管理部１１２は、連携サービスに関しては、図７に示すような管理情報を有する。この管理情報は、連携サービスごとに、その連携サービスの識別名、その連携サービスを構成する要素サービスの識別名、各要素サービスを実行する事業者（要素サービスの料金の支払先）、及び、各要素サービス（事業者）への課金按分割合、の情報を含む。また、各要素サービス（事業者）への課金按分割合ではなく、各要素サービスの利用単価の情報であってもよい。例えば、文書１ページ毎のスキャン、ＯＣＲ、翻訳、プリント出力の各処理の利用単価であってもよい。なお、サービス情報管理部１１２は、個々の要素サービスについて、図３に示したのと同様の情報を保持していてもよい。
【００５３】
図８を参照して、この変形例における決済方式選択受付部１１０の処理手順を説明する。この手順では、まず決済方式選択受付部１１０は、携帯端末２０又は操作部１０４を介してユーザからサービスの実行指示が入力されるのを待ち（Ｓ２０２）、サービス実行指示が入力されると、指示されたサービスの情報をサービス情報管理部１１２から取得する（Ｓ２０４）。次に決済方式選択受付部１１０は、取得したサービスの情報に基づき、そのサービスが複数の要素サービスから構成されているか（すなわち連携サービスであるか）を判定する（Ｓ２０６）。
【００５４】
ユーザが指示したサービスが連携サービスである場合、決済方式選択受付部１１０は、決済方式の優先順を示す空のリストに対して、「クレジットカード決済」を追加する（Ｓ２０８）。すなわち、Ｓ２０８が実行された時点では、決済方式の優先順には「クレジットカード決済」のみが存在する。次に、決済方式選択受付部１１０は、その連携サービスを構成する要素サービスを提供する事業者が同一であるか否かを判定する（Ｓ２１０）。連携サービスが同一事業者の要素サービスのみからなる場合、Ｓ２１０の判定結果がＹとなる。この場合、決済方式選択受付部１１０は、優先順のリストの２位以下に、現金決済に該当する決済方式（例えばコインキット、電子マネー）を、あらかじめ定められた順序づけで追加する（Ｓ２１２）。Ｓ２１２が実行された時点では、例えば優先順は「１位：クレジットカード、２位：コインキット、３位：電子マネー」となる。この後、決済方式選択受付部１１０はＳ２１６に進む。
【００５５】
ユーザが実行を指示した連携サービスが、異なる複数の事業者が提供する複数の要素サービスから構成されていると判定された場合、Ｓ２１０の判定結果がＮとなる。この場合、決済方式選択受付部１１０は、Ｓ２１２をスキップして、Ｓ２１６に進む。この場合、決済方式の優先順のリストには、クレジットカード決済のみが含まれることになるので、ユーザはクレジットカード決済を選ぶこととなる。
【００５６】
なお、ユーザが実行を指示したサービスが単一の要素サービスである場合、Ｓ２０６の判定結果はＮとなる。この場合、決済方式選択受付部１１０は、決済方式の優先順として、あらかじめ設定されている既定の優先順を採用する（Ｓ２１４）。その後、決済方式選択受付部１１０はＳ２１６に進む。
【００５７】
Ｓ２１０、Ｓ２１２又はＳ２１４の後、決済方式選択受付部１１０は、決済方式の選択肢を優先順に従ってユーザ（操作部１０４又は携帯端末２０）に提示し（Ｓ２１６）、ユーザからの選択を待つ（Ｓ２１８）。ユーザが決済方式を選択すると、決済処理部１１４が、その決済方式に対応する課金装置３０を、課金装置制御部１０８を介して制御することで、課金の決済を実施する（Ｓ２２０）。この決済処理では、実行するサービスが事業者の異なる複数の要素サービスから構成されている場合、ユーザが課金装置３０に対して払い込んだ金額を、実行するサービスのサービス情報に示される課金按分割合（図７参照）に従って按分した上で、決済する。この場合、決済方式はクレジットカードに限定されているので、決済処理部１１４は、クレジットカード会社に対して、その連携サービスを構成する要素サービスを提供する事業者ごとに、決済処理を行う。すなわち、事業者に対して、その連携サービスについての課金額を当該事業者の課金按分割合に従って按分した額を、そのクレジットカード番号から支払うとして決済を行う。なお、実行するサービスが連携サービスでない場合や、連携サービスであっても料金支払先が同一事業者である場合は、課金の按分は行わなくてよい。決済処理の後、ジョブ制御部１０６により、ユーザが指示したサービスのための処理が実行される（Ｓ２２２）。なお、Ｓ２１８でユーザが決済方式の選択の取りやめを指示した場合や、選択がないままタイムアウトした場合、決済方式選択受付部１１０は、指示されたサービスが実行できないことを操作部１０４等に表示させ（Ｓ２２４）、処理を終了する。
【００５８】
例えば図７に例示した「スキャン翻訳」サービスの実行が指示された場合、このサービスは異なる複数の事業者の要素サービスから構成されているので、決済方式としてクレジットカードが選択されることとなる。そして、決済の際、課金額をＡ社（スキャンとプリント）５０％、Ｂ社（ＯＣＲ）２５％、Ｃ社（翻訳）２５％の按分割合で按分し、事業者ごとにユーザのクレジットカードで決済を行う。
【００５９】
この変形例では、複数の要素サービスからなる連携サービスに対する決済方式として、クレジットカードが最優先の選択肢としてユーザに提示される。特に、それら複数の要素サービスの提供事業者が異なる場合には、必ずクレジットカード決済が採用される。電子マネー等の現金決済の場合、画像処理装置１０を運営する事業者が、いったん全額を受領し、後でその額を課金按分割合に従って按分し、個々の要素サービスの事業者に支払うという多段階の作業ステップが必要となる。これに対し、クレジットカード決済ならば、決済処理部１１４が、サービスの実行の時点で、事業者ごとにクレジットカード会社に決済を行えばよいので、画像処理装置１０の運営事業者の決済作業が簡素化される。
【００６０】
次に、図９を参照して別の変形例を説明する。この変形例では、画像処理装置１０の設置場所がプライベートエリアか否かに応じて、決済方式の選択肢の優先順を切り替える。プライベートエリアとは、当該エリア内に立ち入れる人が特定の人々に限定されているエリアのことである。これに対して、コンビニエンスストアや図書館その他の公共の場所のように、不特定の人々が出入りできる場所はプライベートエリアではない。
【００６１】
この変形例のシステム構成は、図１及び図２に示すものと同様のものでよい。
【００６２】
まず決済方式選択受付部１１０は、画像処理装置１０に接続中の各課金装置３０の決済方式を、登録されている既定の優先順に従って並べることで、選択可能な決済方式についての既定優先順情報を作成する（Ｓ３００）。そして、ユーザからサービスの実行指示が入力されるのを待つ（Ｓ３０２）。サービス実行指示が入力されると、決済方式選択受付部１１０は、指示されたサービスの情報をサービス情報管理部１１２（図３参照）から取得する（Ｓ３０４）。また、決済方式選択受付部１１０は、当該画像処理装置１０の設置場所がプライベートエリアか否かを判定する（Ｓ３０６）。この判定は、画像処理装置１０が保持している設置場所情報（図示省略）に基づいて行う。ここで、設置場所情報は、例えば、画像処理装置１０が設置されている場所がプライベートエリアか否かを示す情報である。この情報は、例えば、画像処理装置１０を設置した際等に設置者が設定する。また別の例では、設置場所情報は、設置場所の住所表記や緯度・経度などの位置情報である。この場合、決済方式選択受付部１１０は、その位置情報を、各位置がそれぞれプライベートエリアであるか否かを特定できる情報を保持したデータベースと突き合わせることで、その画像処理装置１０の設置場所がプライベートエリアかどうかを判定する。
【００６３】
Ｓ３０６でプライベートエリアでないと判定した場合、決済方式選択受付部１１０は、既定優先順の中のクレジットカード決済を下げる（例えば最下位とする）（Ｓ３０８）。これは、不特定多数の人が出入りする可能性のある場所では、クレジットカード決済は保安上の懸念（例えば番号の盗み見、スキミングなど）があるためである。この後、決済方式選択受付部１１０は、図４のＳ１２１以降の処理と同様の処理を行う。
【００６４】
一方、Ｓ３０６でプライベートエリアと判定した場合、決済方式選択受付部１１０は、Ｓ３０８をスキップし、図４のＳ１２１以降の処理と同様の処理を行う。プライベートエリアでは、保安上の懸念が低いので、クレジットカード決済を控える必要性が低い。なお、この場合、優先順においてクレジットカード決済の順位を上げるようにしてもよい。
【００６５】
以上に例示した画像処理装置１００の情報処理機構は、汎用のコンピュータに当該装置の各機能モジュールの処理を表すプログラムを実行させることにより実現される。ここで、コンピュータは、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶）、ＨＤＤ（ハードディスクドライブ）を制御するＨＤＤコントローラ、各種Ｉ／Ｏ（入出力）インタフェース、ローカルエリアネットワークなどのネットワークとの接続のための制御を行うネットワークインタフェース等が、たとえばバスを介して接続された回路構成を有する。また、そのバスに対し、例えばＩ／Ｏインタフェース経由で、ＣＤやＤＶＤなどの可搬型ディスク記録媒体に対する読み取り及び／又は書き込みのためのディスクドライブ、フラッシュメモリなどの各種規格の可搬型の不揮発性記録媒体に対する読み取り及び／又は書き込みのためのメモリリーダライタ、などが接続されてもよい。上に例示した各機能モジュールの処理内容が記述されたプログラムがＣＤやＤＶＤ等の記録媒体を経由して、又はネットワーク等の通信手段経由で、ハードディスクドライブ等の固定記憶装置に保存され、コンピュータにインストールされる。固定記憶装置に記憶されたプログラムがＲＡＭに読み出されＣＰＵ等のマイクロプロセッサにより実行されることにより、上に例示した機能モジュール群が実現される。
【符号の説明】
【００６６】
１０  画像処理装置、２０  携帯端末、３０  課金装置、４０  ローカルネットワーク、５０  インターネット、６０  外部サービス、１００  画像処理装置、１０２  通信部、１０４  操作部、１０６  ジョブ制御部、１０８  課金装置制御部、１１０  決済方式選択受付部、１１２  サービス情報管理部、１１４  決済処理部。
【図１】
0006586843.tif 000002
【図２】
0006586843.tif 000003
【図３】
0006586843.tif 000004
【図４】
0006586843.tif 000005
【図５】
0006586843.tif 000006
【図６】
0006586843.tif 000007
【図７】
0006586843.tif 000008
【図８】
0006586843.tif 000009
【図９】
0006586843.tif 000010